Podtech/llm-jp-corpus-v4-ja_patent huggingface dataset:
(57)【要約】【課題】本発明は、製造費用引き下げのため部品点数を抑えることのできる回路遮断器１を提供することを目的としている。【解決手段】本発明に係る回路遮断器１は、回路遮断器１のケース２の短手面に設けられた過電流調整用の調整ねじを挿通する調整穴１３を施蓋する蓋体１５に係止突起１５ｃを設ける一方、調整穴１３近傍に被係止部１６を形成し、蓋体１５でケース２が分解してしまわないように確実に係止させることを特徴とする。【選択図】図３
2009277579.tif 000002
【特許請求の範囲】
【請求項１】
回路遮断機構を内蔵させる、ケースが複数分割された部材を組み立てて構成される回路遮断器であって、前記回路遮断器のケースの短手面に設けられた過電流調整用の調整ねじを挿通する調整穴を施蓋する蓋体に係止突起を設ける一方、前記調整穴近傍に被係止部を形成することを特徴とする回路遮断器。
【発明の詳細な説明】
【技術分野】
【０００１】
本発明は、回路遮断機構を内蔵させる、ケースが複数分割された部材を組み立てて構成される回路遮断器に関するものである。
【背景技術】
【０００２】
回路遮断器３１は、ケース３２に回路遮断機構を内蔵させ、ケース３２は複数に分割された部材をそれぞれ互いに係止または、内部の機構に影響しない位置にピン３３を挿通し、このピン３３をかしめて部材を固定し構成していた。ピン３３により、ケース３２が分解されないようになっている。
【０００３】
従来、回路遮断器３１には、温度によって変位するバイメタルを備え、その性質を利用して過電流が流れた場合に、バイメタルを変位させ回路をオン・オフさせるハンドルを動作させる掛合片に係合することで、回路を遮断する機構を持っている。
【０００４】
バイメタルと掛合片の係合の動作時間を一定のものにするため、過電流調整という作業が行われる。回路遮断器３１の短手面に調整穴３４が設けられ、この調整穴３４には調整ねじ（図示せず）が挿通される。調整穴３４のケース内部には、バイメタルが接続される負荷座が配置され、調整ねじを締め付けたり緩めたりすることで負荷座の位置を移動させ、バイメタルを適当な位置に固定している。
【０００５】
過電流調整の作業が終了した段階で、故意にまたは誤って調整ねじに触れないように、調整穴３４には封印蓋３５を差し込んで取り付けていた。
【非特許文献１】２００７カワムラ総合カタログ電設資材編平成１９年６月２０日発行
【発明の開示】
【発明が解決しようとする課題】
【０００６】
しかしながら、回路遮断器のケースの組み立てと、過電流調整のための調整穴の封印とは、全く別の構造であり、それぞれに必要な部品を用いていたため、部品点数の増加と、組み立て工数の増加が課題であった。
【課題を解決するための手段】
【０００７】
本発明は、製造費用引き下げのため部品点数を抑えた回路遮断器を提供することを目的とし、その構造は、回路遮断器のケースの短手面に設けられた過電流調整用の調整ねじを挿通する調整穴を施蓋する蓋体に係止突起を設ける一方、調整穴近傍に被係止部を形成することを特徴とする。
【発明の効果】
【０００８】
本発明の回路遮断器は、回路遮断器のケースの短手面に設けられた過電流調整用の調整ねじを挿通する調整穴を施蓋する蓋体に係止突起を設ける一方、調整穴近傍に被係止部を形成するため、調整穴の蓋体を取り付けることで、ケースを構成する部材が分解しないようになる。元々、ケースを固定するために用いていたピンを減らすことができ、部品点数の削減により、組み立て工数の削減、製造費用の削減を図ることができる。
【発明を実施するための最良の形態】
【０００９】
本発明に係る回路遮断器の実施例を図１〜図３に基いて説明する。
【００１０】
回路遮断器１は、左ケース２ａ、中ケース２ｂ、右ケース２ｃの三つの部材を組み立ててケース２を構成している。ケース２の中には、導体を接続する端子や、過電流が発生したときに動作する過電流引き外し装置や、ハンドルユニット等が収められる。ケース２に各種機器を組み込んだ後、ケース２の側面からはピン３を差し込み、かしめてケース２が容易に分解してしまわないように構成される。
【００１１】
回路遮断器１内で電流は、電源側端子４から固定接触子５、可動接触子６、可撓銅線７、バイメタル８、負荷座９を経て、負荷側端子１０へと流れている。図１に示すようにオン状態では、ハンドルユニット１１が可動接触子６を押した状態で、固定接触子５に可動接触子６が接触しているため通電される。また図２に示すようにオフ状態では、ハンドルユニット１１が固定接触子５を引いた状態で、固定接触子５に可動接触６が接触しないため通電されない。
【００１２】
バイメタル８と、ハンドルユニット１１を動作させる掛合片１２とで構成される過電流引き外し装置は、温度により変位するバイメタル８の特性を利用して、バイメタル８が変位したとき、バイメタル８が掛合片１２に当たり、ハンドルユニット１１を動作させる構造である。回路遮断器１を一定の精度のものにするため、バイメタル８は、変位の角度や時間を調整する必要がある。その調整方法は、ケース２の短手面には調整穴１３を設け、調整穴１３には調整ねじ１４を挿通している。調整ねじ１４は締め付け量によって負荷座９の位置を変えるもので、負荷座９を移動させてバイメタル８の位置を変更し、一定の時間で過電流引き外しがなされるように調整する。
【００１３】
調整が完了した回路遮断器１は、故意にまたは誤って調整ねじを動かさないように、調整穴１３は蓋体１５で施蓋される。左ケース２ａと右ケース２ｂの側面に被係止部１６を設ける。蓋体１５は断面略コ字状に、施蓋部１５ａと係止部１５ｂとを形成する。係止部１５ｂには係止突起１５ｃを設け、回路遮断器１のケース２に設けられた係止穴１６に係止突起１５ｃを係止させ、調整穴１３を封印する。
【００１４】
調整穴１３の封印を、蓋体１５をケース２に係止させることで確実に行い、蓋体１５が取り付けられている位置に近いところで、ケース２を固定しているピン３を省略することができ、部品点数の削減を図ることができる。
【００１５】
蓋体の形状や係止構造については、図３に示すものに限定されるものではなく、本発明の趣旨を逸脱しない範囲において適宜変更可能である。
【図面の簡単な説明】
【００１６】
【図１】オン状態の回路遮断器の機構を示す側断面図である。
【図２】オフ状態の回路遮断器の機構を示す側断面図である。
【図３】回路遮断器の調整穴の封印構造を示す斜視図である。
【図４】従来の回路遮断器の構造を示す斜視図である。
【符号の説明】
【００１７】
１      回路遮断器
２      ケース
２ａ    左ケース
２ｂ    中ケース
２ｃ    右ケース
３      ピン
４      電源端子
５      固定接触子
６      可動接触子
７      可撓銅線
８      バイメタル
９      負荷座
１０    負荷側端子
１１    ハンドルユニット
１２    掛合片
１３    調整穴
１４    調整ねじ
１５    蓋体
１５ａ  施蓋部
１５ｂ  係止部
１５ｃ  係止突起
１６    被係止部
【図１】
2009277579.tif 000003
【図２】
2009277579.tif 000004
【図３】
2009277579.tif 000005
【図４】
2009277579.tif 000006
(57)【要約】【課題】発電部の湿度状態を最適化できて燃料電池の発電効率を高めることができ、また、発電部自体の構成を変更することがなく簡単な構造で安価に製作できる燃料電池を提供する。【解決手段】燃料電池は、発電部２の両側面に接合されるセパレータ３のガス流路９を上流側ほど幅を広く深さを浅く形成することで生成水の発生を多くしてドライアップを防止し、下流側ほど幅を狭く深さを深く形成することで生成水の排水性を高めてフラッディングを防止する。【選択図】図２
2009277557.tif 000002
【特許請求の範囲】
【請求項１】
発電部に接合するセパレータに反応ガスを流すためのガス流路を形成して成る燃料電池において、前記ガス流路は上流側ほど幅を広く深さを浅くし、下流側ほど幅を狭く深さを深くしたことを特徴とする燃料電池。
【発明の詳細な説明】
【技術分野】
【０００１】
本発明は、発電部の両側面にセパレータを接合した燃料電池セルを複数連設して成る燃料電池に関する。
【背景技術】
【０００２】
一般に燃料電池は発電に伴って熱と生成水を発生する。生成水は反応ガス（燃料ガス、酸化剤ガス）に押し出され、ガス流路の上流側から下流側に流れる。これにより、発電部はガス上流側でドライアップ状態（低湿度状態）となり、ガス下流側でフラッディング状態（過剰湿度状態）となる。ドライアップ状態になると、電解質膜のプロトン導電性が低下し、発電効率が低下する。フラッディング状態になると、結露により反応ガスの拡散が阻害され、やはり、発電効率が低下する。そこで、従来、ガス流路の上流側と下流側とで発電部の構造を変更することにより、発電部の湿度状態を適正化する技術が提案されている。
【０００３】
例えば、特許文献１には、発電部に接合するセパレータに反応ガスが流れるガス流路を形成した燃料電池において、一対のセパレータのテーパ面で発電部を圧縮し、電解質膜を挟む燃料極と酸素極の気孔率をガス上流側で低くし下流側で高くし、発電部の湿度を上流側で上昇させ下流側で低下させる技術が記載されている。特許文献２には、燃料極及び酸素極をガス流路の上流側ほど密な構造となるように製作することで、ドライアップ及びフラッディング現象を抑制する技術が記載されている。
【０００４】
【特許文献１】特開２００４−３１９１３７号公報
【特許文献２】特開２００２−４２８２３号公報
【発明の開示】
【発明が解決しようとする課題】
【０００５】
しかしながら、従来の燃料電池は発電部の湿度状態を適正化するために発電部自体の構造を変更しているので、特許文献１の場合は、組立時にセパレータと電解質膜との間隔を正確に管理する必要があって、燃料電池の組立に手間がかかる問題点があり、特許文献２の場合は、燃料極及び酸素極に特殊な組成または構造の部材を使用する必要があって、燃料電池の制作費が高くつくという欠点があった。
【課題を解決するための手段】
【０００６】
本発明は、発電部に接合するセパレータに反応ガスを流すためのガス流路を形成して成る燃料電池において、ガス流路の断面形状を発電部に接合する面を幅方向として上流側ほど幅を広く深さを浅くし、下流側ほど幅を狭く深さを深くしたことを特徴とする。
【発明の効果】
【０００７】
本発明によれば、ガス流路の上流側ではガス流路の幅が広いことで反応ガスと発電部の接触面積が大きくなって発電が増え、生成水の発生量が増加するためドライアップを防止し、下流側ではガス流路の幅が狭いことで反応ガスと発電部の接触面積が小さくなって発電が少なくなるために生成水の発生量を抑え、深さが深いことで生成水の排水性が向上して生成水が溜まらないのでフラッディングを防止し、生成水により反応ガスと発電部の接触面積を少なくすることがないので、発電部の湿度状態を最適化できて燃料電池の発電効率を高めることができる。更にガス流路の断面積が全体を通してほぼ一定なので反応ガスの圧力変動が少なく、反応ガスを安定して流すことができる。また、発電部自体の構成を変更することがなく簡単な構造で安価に製作できるという効果がある。
【発明を実施するための最良の形態】
【０００８】
燃料電池は、発電部の両側面に接合されるセパレータのガス流路を上流側ほど幅を広く深さを浅く形成し、下流側ほど幅を狭く深さを深く形成する。
【実施例１】
【０００９】
本発明に係る燃料電池の実施例１を図１及び図２の添付図面に基づいて説明する。
【００１０】
燃料電池は、複数の燃料電池セル１を連設して構成される。燃料電池セル１は発電部２とセパレータ３とを備え、一対のセパレータ３が発電部２の両側面に接合する状態で組み立てられている。発電部２は、電解質膜４と燃料極５と酸素極６とから構成され、燃料極５及び酸素極６がそれぞれ拡散層７と触媒層８とを備えている。そして、拡散層７及び触媒層８が多孔質材料を用いて各部均一な構造で形成されている。
【００１１】
二枚のセパレータ３の表面（発電部に接合する面）には、反応ガスを一方向（図２の上から下）に流すガス流路９が蛇行状に形成されている。ガス流路９は上流側ほど流路の幅が広く深さが浅く形成され、下流側ほど流路の幅が狭く深さが深く形成され、断面積が全体を通してほぼ一定となるように形成している。各セパレータ３のコーナ部において、ガス流路９の上流端には供給口１０が設けられ、ガス流路９の下流端に排出口１１が設けられている。そして、水素を含む燃料ガスが一方のセパレータ３の供給口１０からガス流路９を通って排出口１１に流れる過程で燃料極５に供給され、酸素を含む酸化剤ガスが他方のセパレータ３の供給口１０からガス流路９を通って排出口１１に流れる過程で酸素極６に供給される。なお、二枚のセパレータ３はそれぞれ焼成カーボン等で各部同じ厚さに形成されている。
【００１２】
このように形成されたセパレータ３はガス流路９の上流側では流路の幅が広いので反応ガスと発電部２の接触面積が大きく、発電量が増加する。従って生成水の発生量も増加するため、ドライアップが防止できる。また、ガス流路９の下流側では流路の幅が狭いので反応ガスと発電部２の接触面積が小さく、発電量が少ないので生成水の発生量が抑えられ、深さが深いので生成水の排水性が良く上流から流れてきた生成水も溜まらないのでフラッディングが防止できる。また、ガス流路９の断面が全体を通してほぼ一定なので反応ガスの圧力変動が少なく、反応ガスを安定して流すことができる。
【図面の簡単な説明】
【００１３】
【図１】本発明に係る燃料電池の燃料電池セル単体を示す斜視図である。
【図２】本発明に係るセパレータを示し、（ａ）は発電部接合面を表す正面図、（ｂ）はＡ−Ａ線断面図である。
【符号の説明】
【００１４】
１    燃料電池セル
２    発電部
３    セパレータ
９    ガス流路
【図１】
2009277557.tif 000003
【図２】
2009277557.tif 000004
(57)【要約】【課題】調整螺子の進退によって電路が遮断されるまでの時間を調整する際に、締め付けによって調整螺子の当接位置がずれてしまうことを防ぎ、電路が遮断されるまでの所要時間を一定に得られる過電流引外し調整機構を少ない部品数で提供する。【解決手段】回路遮断器のケース内部に設けられる過電流引外し機構であって、過電流引外し機構は一端を固定した固定端と他端を自由に設けた自由端とからなるバイメタルと、バイメタルの固定端と一体に設けられると共に位置決め部を設けた負荷座と、負荷座に設けられた位置決め部に嵌め合わせるための嵌合部を設けた調整螺子と、調整螺子が貫通するネジ孔を設けたナットからなる。【選択図】図２
2009277524.tif 000002
【特許請求の範囲】
【請求項１】
回路遮断器のケース内部に設けられる過電流引外し機構であって、該過電流引外し機構は一端を固定した固定端と他端を自由に設けた自由端とからなるバイメタルと、該バイメタルの固定端と一体に設けられると共に位置決め部を設けた負荷座と、該負荷座に設けられた位置決め部に嵌め合わせるための嵌合部を設けた調整螺子と、該調整螺子ネジが貫通するネジ孔を設けたナットからなることを特徴とする過電流引外し調整機構。
【発明の詳細な説明】
【技術分野】
【０００１】
本発明は、回路遮断器における過電流引外し調整機構に関するものである。
【背景技術】
【０００２】
従来、回路遮断器に設けられる過電流引外し調整機構には特許文献１に記載されているような、ケース３１内部に設けられるものであって、バイメタル３２と掛合片との相対的な位置関係を変化させる調整螺子３６と、調整螺子３６が螺合するねじ孔が貫設されたナット３７部材とを収納し、調整螺子３６の進退方向と平行な器体の側面に、ナット３７部材の両側面からそれぞれ突出する調整螺子３６の両側部位を視認可能な大きさの接着剤注入用孔を設けた回路遮断器があった。
【特許文献１】特開２００８−３４３１３
【発明の開示】
【発明が解決しようとする課題】
【０００３】
しかしながら、特許文献１に記載の発明では、バイメタルと一体に設けられた支持板には突出片が設けられ、この突出片を調整螺子の締め付けによって進退させることで電路を遮断するまでの時間を調整しているが、調整螺子を締め付けた際に突出片との当接位置がずれる恐れがあるという欠点がある。これにより、調整螺子によって押し込まれる距離に差が生じ、電路を遮断するまでの時間にばらつきが発生するという欠点がある。
【０００４】
又、接着剤によって調整螺子を接着するが、このために接着剤注入用口を設けたことにより、そこから粉塵が侵入する恐れがあるという欠点がある。又、接着剤によって調整螺子を接着するため、接着剤を注入した際や回路遮断器自体の発熱により接着剤が溶けた際に他の部品に付着して不具合の発生原因となる恐れがあるという欠点がある。
【０００５】
このため、本発明によって解決しようとする課題は、調整螺子の進退によって電路が遮断されるまでの時間を調整する際に、締め付けによって調整螺子の当接位置がずれてしまうことを防ぎ、電路が遮断されるまでの所要時間を一定に得られる過電流引外し調整機構を少ない部品数で提供することにある。
【課題を解決するための手段】
【０００６】
上記した課題を解決するためになされた本発明の過電流引外し機構は、回路遮断器のケース内部に設けられる過電流引外し機構であって、過電流引外し機構は一端を固定した固定端と他端を自由に設けた自由端とからなるバイメタルと、バイメタルの固定端と一体に設けられると共に位置決め部を設けた負荷座と、負荷座に設けられた位置決め部に嵌め合わせるための嵌合部を設けた調整螺子と、調整螺子が貫通するネジ孔を設けたナットからなる。
【発明の効果】
【０００７】
本発明の過電流引外し機構によれば、負荷座に位置決め部を設け、調整螺子に設けた嵌合部を嵌め合わせることによって、調整螺子を締め付けた際に当接位置にずれが生じることを防ぐことが可能である。これにより、電路が遮断されるまでの時間にばらつきが生じる恐れを少なくすることが可能である。
【発明を実施するための最良の形態】
【０００８】
本発明では、調整螺子の当接位置がずれることを防ぐことが可能な構造を少ない部品数で可能にした。
【実施例１】
【０００９】
以下、本発明の実施の形態を説明する。
回路遮断器のケース１、１１内部に設けられる過電流引外し機構であって、過電流引外し機構は一端を固定した固定端と他端を自由に設けた自由端とからなるバイメタル２、１２と、バイメタル２、１２の固定端と一体に設けられると共に位置決め部４、１４を設けた負荷座３、１３と、負荷座３、１３に設けられた位置決め部４、１４に嵌め合わせるための嵌合部５、１５を設けた調整螺子６、１６と、調整螺子６、１６が貫通するネジ孔を設けたナット７、１７からなる。調整螺子６、１６に設ける嵌合部５、１５は調整螺子６、１６の直径より小さい直径の略円柱によって形成され、負荷座３、１３に設ける位置決め部４、１４は調整螺子６、１６の直径より小さく、嵌合部５、１５の直径より大きい孔を設けて貫通させた。これにより、調整螺子６、１６を締め付けた際に当接位置にずれが生じることを防ぐことが可能となり、電路が遮断されるまでの時間にばらつきが生じる恐れを少なくすることが可能である。
【実施例２】
【００１０】
回路遮断器のケース２１内部に設けられる過電流引外し機構であって、過電流引外し機構は一端を固定した固定端と他端を自由に設けた自由端とからなるバイメタル２２と、バイメタル２２の固定端と一体に設けられると共に位置決め部２４を設けた負荷座２３と、負荷座２３に設けられた位置決め部２４に嵌め合わせるための嵌合部２５を設けた調整螺子２６と、調整螺子２６が貫通するネジ孔を設けたナット２７からなる。調整螺子２６に設ける嵌合部２５は負荷座２３との当接箇所を略円錐状に形成され、負荷座２３に設ける位置決め部２４は調整螺子２６の嵌合部２５に合わせて略円錐状に切り欠いて設けた。これにより、調整螺子２６を締め付けた際に当接位置にずれが生じることを防ぐことが可能となり、電路が遮断されるまでの時間にばらつきが生じる恐れを少なくすることが可能である。
【００１１】
以上のように、本発明の過電流引外し調整機構は、負荷座に位置決め部を設け、調整螺子に設けた嵌合部を嵌め合わせることによって、調整螺子を締め付けた際に当接位置にずれが生じることを防ぐことが可能となるものである。
【図面の簡単な説明】
【００１２】
【図１】本発明の実施例１における、過電流引外し調整機構の断面図である。
【図２】本発明の実施例１における、過電流引外し調整機構のＡ部の拡大断面図である。
【図３】本発明の実施例２における、過電流引外し調整機構の部分拡大断面図である。
【図４】従来技術における、特許文献１に記載の過電流引外し調整機構の断面図である。
【符号の説明】
【００１３】
１、１１、２１、３１    ケース
２、１２、２２、３２    バイメタル
３、１３、２３    負荷座
４、１４、２４    位置決め部
５、１５、２５    嵌合部
６、１６、２６、３６    調整螺子
７、１７、２７、３７    ナット
【図１】
2009277524.tif 000003
【図２】
2009277524.tif 000004
【図３】
2009277524.tif 000005
【図４】
2009277524.tif 000006
(57)【要約】【課題】暗証番号は人に見られたくないし、人に分からないように暗証番号のメモを保管したいし、見られないように暗証番号を入力したい。【解決手段】仮暗証番号から自分で作るルールで、表から表示部を廻して暗証番号を作るので、英数記号等も可能で、暗証番号の桁数も窓の数も自由に出来る、又、本人も暗証番号は知らなくても良いし、人にも分からないように入力が出来る。【選択図】図１
2009277203.tif 000002
【特許請求の範囲】
【請求項１】
表に英数字記号等を書いておき、仮暗証番号から、自分のルールで変換して、暗証番号を出して、表示する物。
【発明の詳細な説明】
【技術分野】
【０００１】本発明は、暗証番号を人に分からないように、表示して、入力出来る様にした物である。
【背景技術】
【０００２】暗証番号を、メモに書くとか、覚えやすい暗証番号は不安であるし、暗証番号入力の時に、人に見られて、悪用される恐れがある。【特許文献１】特願平９−２３８６３０
【非特許文献１】特願２０００−１１１４０８
【発明の開示】
【発明が解決しようとする課題】
【０００３】人に暗証番号のメモとか、覚えやすい暗証番号とか、暗証番号の入力時に見られるとか、本発明の物を見られとかしても、安心でき入力できる物を提供する。
【課題を解決するための手段】
【０００４】表に英数字記号を書いておき、仮暗証番号から、自由に決めた窓の位置の自分のルールで変換して、暗証番号を出して、人に見られていても、分からないように、暗証番号を入力することを可能にする。
【発明の効果】
【０００５】人に仮暗証番号とか、本発明の物とか、暗証番号の入力の時も、人に見られていても分からなく入れられる、又、英数記号も可能で、暗証番号の桁数も自由に出来る。
【図面の簡単な説明】
【０００６】
【図１】本発明の立体図
【図２】仮暗証番号と暗証番号の表の例
【符号の説明】
【０００７】（１）円柱の様な物  （２）仮暗証と暗証番号の窓  （３）英数記号等の表
【図１】
2009277203.tif 000003
【図２】
2009277203.tif 000004
(57)【要約】【課題】誤りなく読むことができ、コンセプトやイメージを表すとともに、強い印象を与えて訴求力のある、企業や商品や施設の名称の表記方法を提供する。【解決手段】企業又は商品又は施設の名称を、平仮名又は片仮名又は英字又は数字、もしくはそれらの組み合わせで表記し、それを漢字に見立てた時に振り仮名を付す場合の位置と文字サイズで、そのコンセプトやイメージを表す漢字を併記して表記する。【選択図】図１
2009277206.tif 000002
【特許請求の範囲】
【請求項１】
平仮名又は片仮名又は英字又は数字を用いるか、それらを組み合わせて表記した、企業又は商品又は施設の名称において、平仮名又は片仮名又は英字又は数字の部分に、同じ読み方が可能で名称の大きさの７０％より小さい漢字を、名称の中心線から名称の大きさの１８０％の距離以内に併記した表記方法。
【請求項２】
平仮名又は片仮名又は英字又は数字と漢字を用いるか、平仮名又は片仮名又は英字又は数字を組み合わせたものと漢字で表記した、企業又は商品又は施設の名称において、少なくとも平仮名又は片仮名又は英字又は数字の部分に、同じ読み方が可能で名称の大きさの７０％より小さい漢字を、名称の中心線から名称の大きさの１８０％の距離以内に併記した表記方法。
【発明の詳細な説明】
【発明の詳細な説明】
【技術分野】
【０００１】本発明は、企業又は商品又は施設の名称を、分かりやすくかつ訴求力のあるものにするための表記方法に関する。
【背景技術】
【０００２】  現代のビジネスにおいては、企業名や商品名あるいは施設名のネーミングは非常に重要であり、事業の成否を左右する場合も少なくない。即ち、企業や商品のコンセプトやイメージを分かり易く表現するとともに強い印象を与える、いわゆる訴求力のあるネーミングが求められている。そのため、従来は地名や人名或いは良く知られた単語由来の名称が多く用いられていたのに対し、近年は、表意文字である漢字の特性を生かし、これらのコンセプトやイメージを表す漢字を組み合わせた造語が、これらの名称として用いられることが多くなっている。例えば、商標登録１３８０１８３の企業名称「母恵夢」は、暖かい、やわらかい、幸せというようなイメージを読み手にいだかせる効果が期待できる名称となっている。
【発明の開示】
【発明が解決しようとする課題】
【０００３】  しかしながら、前述の事例のように漢字を組み合わせた表記方法による名称では、コンセプトやイメージを表しやすい反面、複数の読み方が存在するため、振り仮名を付けなければ正しく読むことができない場合がある。また、読み手に強い印象を与えるために通常あまり用いられない漢字の読み方を組み合わせた場合ほど、振り仮名がなければ正確に読むことができないという問題点がある。本発明は、このような問題点を解消して、誤りなく読むことができ、コンセプトやイメージを表すとともに、強い印象を与える訴求力のある名称の表記方法を提供することを課題とする。
【課題を解決するための手段】
【０００４】  本発明は、平仮名又は片仮名又は英字又は数字もしくはそれらを組み合わせた、企業又は商品又は施設の名称において、その平仮名又は片仮名又は英字又は数字の部分について、それらと同じ読み方が可能でその企業や商品や施設のコンセプトやイメージを表す漢字を、それらの振り仮名にあたる位置に振り仮名相当のサイズで併記することにより上記課題を解決したものである。併記する漢字の大きさと位置は、振り仮名と同様の機能と形態を持たせるため、平仮名又は片仮名又は英字又は数字の大きさの６０％より小さく、平仮名又は片仮名又は英字又は数字の中心線からそれらの大きさの１８０％の距離以内に併記する。また、平仮名又は片仮名又は英字又は数字と漢字を組み合わせた場合も、少なくとも平仮名又は片仮名又は英字又は数字の部分に同様に漢字を併記する。
【発明の効果】
【０００５】  以上のように、請求項１記載の発明によれば、名称が平仮名又は片仮名又は英字又は数字、もしくはそれらの組み合わせなので、名称については読み誤ることが無く、併記された漢字から、そのコンセプトやイメージを読み取ることができるうえ、平仮名や片仮名に振り仮名のように漢字を併記するという、従来の概念を覆す表記方法であることから、読む者に強いインパクトを与えて記憶に残り易いという効果を得ることができる。さらに、シンプルな名称でも併記された漢字によって特徴付けられるので他の名称との誤認を防いだり、差別化することができる。従ってこの表記法により企業名を表記することにより、企業名の認知度が高まりビジネス上の利点が向上する。また、この表記法により商品名を表記すれば、同様の理由で消費者に商品名を印象付け、通常の表記法により命名した商品より売り上げの増加が期待できる。さらに、この表記法により施設名を表記すれば同様の理由で、施設利用者に施設名を印象付け、通常の表記法により命名した施設より来場者の増加が期待できる。請求項２記載の発明は、名称が平仮名又は片仮名又は英字又は数字と漢字の組み合わせとし、少なくとも平仮名又は片仮名又は英字又は数字の部分に請求項１と同様に漢字を併記したものであり、請求項１と同様の効果が期待できる。
【発明を実施するための最良の形態】
【０００６】  本発明の請求項１の表記法は、企業又は商品又は施設の名称を平仮名又は片仮名又は英字又は数字もしくはそれらの組み合わせで表記し、それを漢字に見立てた時に振り仮名を付す場合の位置と文字サイズで、そのコンセプトやイメージを表す漢字を併記して表記する。この場合、漢字は振り仮名を連想させるものである必要があるので、その大きさは名称の７０％以内、併記する位置は名称の中心線から名称の文字の大きさの１８０％以内の距離とする。また、本発明の請求項２の表記法は、企業又は商品又は施設の名称を平仮名又は片仮名又は英字又は数字と漢字で表記し、少なくとも平仮名又は片仮名又は英字又は数字の部分に、そのコンセプトやイメージを表す漢字を併記して表記する。漢字の大きさと併記する位置は請求項１と同様である。
【実施例】
【０００７】  図１に、平仮名の企業の名称に漢字を併記した実施例を示す。又、図２に漢字と片仮名を使用した商品の名称の片仮名部分に漢字を併記した実施例を示す。又、図３に英字の施設の名称に漢字を併記した実施例を示す。
【産業上の利用可能性】
【０００８】  本発明による表記法は、企業の名称においては企業のロゴとして、企業の看板、名刺、印刷物などに用いることができる。又、商品の名称においては商品包装、商品に印刷もしくは貼付する意匠、商品の宣伝文書などに用いることができる。又、施設の名称については施設の看板、案内表示、宣伝文書などに用いることができる。
【図面の簡単な説明】
【０００９】
【図１】請求項１の本発明による企業の名称の表記の実施例である。
【図２】請求項２の本発明による商品の名称の表記の実施例である。
【図３】請求項１の本発明による施設の名称の表記の実施例である。
【符号の説明】
【００１０】１・・・名称を表す平仮名
２・・・名称を表す片仮名
３・・・名称を表す漢字
４・・・名称を表す英字
５ａ・５ｂ・５ｃ・・・名称の平仮名又は片仮名又は英字に併記する漢字
【図１】
2009277206.tif 000003
【図２】
2009277206.tif 000004
【図３】
2009277206.tif 000005
(57)【要約】【課題】  従来の延長コ−ドは、さし込みが、屋内配線のコンセントにさし込まれている限り、さし込みから、コンセントまで電気が流れているので、常に電気を消費しているという問題があっつた。【解決の手段】  延長コ−ドのコ−ドの部分に流れている電気を、さし込み部分に、リレ−、マグネットスイッチなどの磁石を使ったマグネット式のスイッチを取り付け、延長コ−ドより細い別の回路線で、リレ−、マグネットスイッチなどの磁石を使ったマグネット式のスイッチとつながれた、コンセント部分に取りつけたスイッチの入り切りにより、コ−ドの通電を操作する事により、省電力化を行なう。【選択図】図１
2009277635.tif 000002
【特許請求の範囲】
【請求項１】
延長コ−ドの、さし込み部分に、リレ−、マグネットスイッチなどの磁石を使ったマグネット式のスイッチを取りつけって、コンセント部分に、さし込み部分の、リレ−、マグネットスイッチなどの磁石を使ったマグネット式のスイッチを、入り切りするスイッチを取り付けて、差し込み部分の、リレ−、マグネットスイッチなどの磁石を使ったマグネット式のスイッチと、コンセント部分のスイッチとを、延長コ−ドに、沿わせた、延長コ−ドより細い別の回路線でつなぎ、差し込み部分のリレ−、マグネットスイッチなどの磁石を使ったマグネット式のスイッチに延長コ−ドの二芯を取りつけて、延長コ−ドのもう片方の二芯をコンセントに取りつけ、コンセントの部分のスイッチで延長コ−ドの通電を入り切りするようにした省電力延長コ−ド。
【発明の詳細な説明】
【技術分野】
【０００１】  本発明は、延長コ−ドの省電力化に係るものである。従来の延長コ−ドは、さし込みと、二芯のコ−ドとコンセントからなり、さし込みを抜かない限り、延長コ−ドのコ−ドには常に電気が流れていて、常に一定の電気を消費しているから、さし込みに、リレ−、マグネットスイッチなどの磁石を使ったマグネット式のスイッチを取り付け、コンセント部分に、さし込み部分の、リレ−、マグネットスイッチなどの磁石を使ったマグネット式のスイッチを入り切りするスイッチを取り付けて、さし込み部分の、リレ−、マグネットスイッチなどの磁石を使ったマグネット式のスイッチと、コンセント部分のスイッチとを、延長コ−ドに、沿わせた、延長コ−ドより細い別の回路線でつなぎ、さし込み部分の、リレ−、マグネットスイッチなどの磁石を使ったマグネット式のスイッチに、延長コ−ドの二芯を取りつけ、延長コ−ドのもう片方の二芯をコンセントに取りつけ、コンセント部分のスイッチで、延長コ−ドの通電を、入り切りする操作をして、省電力をする延長コ−ドに係るもである。
【背景技術】
【０００２】  従来より、延長コ−ドの、コ−ドの部分の使用電気の省電力をする延長コ−ドはなかった。
【発明の開示】
【発明が解決しようとする課題】
【０００３】  本発明は、屋内配線のコンセントにさし込まれた延長コ−ドは、延長コ−ドに、さし込まれた電気器具が、使われていないときでも、延長コ−ドの二芯のコ−ドには電気が流れていて、電気を消費しているという問題を、解決する為になされたものである。
【課題を解決するための手段】
【０００４】  本発明は、上記の目的を達成するために、下記の、省電力延長コ−ドを、提供するものである。【０００５】  延長コ−ドのさし込み部分に、リレ−、マグネットスイッチなどの磁石を使ったマグネット式のスイッチを取り付けて、コンセント部分に、さし込み部分の、リレ−、マグネットスイッチなどの磁石を使ったマグネット式のスイッチを入り切りするスイッチを取り付けて、さし込み部分の、リレ−、マグネットスイッチなどの磁石を使ったマグネット式のスイッチとコンセント部分のスイッチとを、延長コ−ドに、沿わせた延長コ−ドより細い別の回路線でつなぎ、さし込み部分の、リレ−、マグネットスイッチなどの磁石を使ったマグネット式のスイッチに延長コ−ドのニ芯を取りつけ、延長コ−ドのもう片方の二芯をコンセントに取りつけ、コンセント部分のスイッチで延長コ−ドの通電を入り切りすることを特徴とする。
【発明の効果】
【０００６】  上述したように、本発明は、延長コ−ドのコ−ドの部分の消費電力を、電気製品の使用時は、コンセントのスイッチを入れ、延長コ−ドのコ−ドと、沿わせた延長コ−ドより細い別の回路線の両方に電気が流れ、電気製品の不使用時は、コンセントのスイッチを切り、沿わせた延長コ−ドより細い別の回路線だけに電気が流れるので、消費電力に差が出来る省電力延長コ−ドにより、省電力化をすることが出来る。
【発明を実施するための最良の形態】
【０００７】    以下、本発明の実施の形態を、図１に基ずいて説明する。【０００８】  図においては、１は、屋内配線のコンセント、２は、延長コ−ドのさし込み部分で、３の、リレ−、マグネットスイッチなどの磁石を使ったマグネット式のスイッチと組み合わせ、４の、延長コ−ドの二芯のコ−ド部分を、リレ−、マグネットスイッチなどの磁石を使ったマグネット式のスイッチ３の端子の部分８に接続し、もう片方の部分をコンセント７に、接続し、延長コ−ドより細い別の回路線５は、３のマグネットを立ち上げる端子９と電源端子１０に接続し、もう片方を、コンセント７のスイッチ６に、接続する。【０００９】  以下、上記構成の動作を説明する。延長コ−ドを使用するために、延長コ−ドのさし込み２を、屋内配線のコンセント１にさし込み、コンセント７まで通電させるためにスイッチ６はオンにする。そのとき、リレ−、マグネットスイッチなどの磁石を使ったマグネット式のスイッチ３は、励磁し、コンセント７まで通電する事が出来る。スイッチ６をオフにするとリレ−、マグネットスイッチなどの磁石を使ったマグネット式のスイッチ３は、消磁し、コンセント７までの通電は、停止する事が出来る。
【図面の簡単な説明】
【００１０】
【図１】  本発明の実施形態を示す省電力延長コ−ドの図面
【符号の説明】
【００１１】  １、屋内用コンセント
２、延長コ−ドのさし込み
３、リレ−、マグネットスイッチなどの磁石を使ったマグネット式のスイッチ
４、延長コ−ドの二芯のコ−ド
５、延長コ−ドより細い別の回路線
６、コンセント７に取りつけたスイッチ
７、コンセント
８、スイッチ３の端子
９、マグネットを立ち上げる端子
１０、電源端子
【図１】
2009277635.tif 000003
(57)【要約】 【課題】  欧米化しつつある日本の食生活だが米は日本人の体質にあっている。年々高年齢化している現在、従来の米パンのほとんどは製造時にバター、砂糖など一般的な製パン材料を配合している為高カロリーでありまた長期保存は不可能であった。  【解決手段】  本発明は一般的な製パン材料を使用せず米粉に粉末小麦グルテン、重曹を添加して焼き上げた為、軟らかく低カロリーな米麩パンを作る事が出来た。【選択図】なし【特許請求の範囲】
【請求項１】
グルテンと、米粉と、重曹とを材料とし、蒸し焼きで製造する米麩パンの製造方法。
【請求項２】
熟成した生地を分けて練機に入れて練り、丸めた後カットし、水に浸した後、水をかけて蒸し焼きにする請求項１記載の米麩パンの製造方法。
【発明の詳細な説明】
【技術分野】
【０００１】
米麩パンの製造技術に関するものである。
【背景技術】
【０００２】
欧米化しつつある日本の食生活だが日本人にとってなくてはならない主食は米
であり体質にあっている。年々高年齢化している現在、簡単にお米を摂取出来、
しかも軟らかく高蛋白低カロリーである事を条件とした保存可能な米麩パンを発
明した。
【発明の開示】
【発明が解決しようとする課題】
【０００３】
従来の米パンのほとんどは製造時にバター、砂糖など一般的な製パン材料を配
合している為高カロリーであり、長期保存も不可能であった。
【０００４】
従来の麩は小麦粉と小麦グルテンを主原料としていた。
【課題を解決するための手段】
【０００５】
イーストを使用せず粉末小麦グルテンを使用した。
【０００６】
製造時にバター、砂糖など一般的な製パン材料を使用せずに焼き上げた。
【０００７】
製造時に重曹を添加した。
【０００８】
製造工程で乾燥させた。
【発明の効果】
【０００９】
本発明は粉末小麦グルテンを使用する事によって高蛋白な米麩パンを作る事が
出来た。
【００１０】
本発明は一般的な製パン材料を使用せずに焼き上げた為、低カロリーな米麩パ
ンを作る事が出来た
【００１１】
本発明は重曹を添加する事によってふっくらと膨らみ軟らかい米麩パンを作る事
が出来た。
【００１２】
本発明は製造工程で乾燥させる事によって水分値が12.5％〜14％と安定し、保
存可能な米麩パンが出来た。
【００１３】
本発明の米麩パンは米粉、粉末小麦グルテン、重曹で出来ている為そのままパ
ンとして食べる事も色々な料理に使用する事も出来る。
【発明を実施するための最良の形態】
【００１４】
本発明の実施例を下記に説明する。
【実施例】
【００１５】
米粉3ｋｇ、粉末グルテン2〜2、5ｋｇ、重曹5〜10ｇ、水6〜7ｋｇを攪拌機に入れ攪
拌後、10〜20分間熟成させる。熟成した生地を小分けして練機に入れ3〜5分間
練り、丸めて10〜15分間休ませた後15〜20等分し、5〜10分間水に浸す。180
度〜160度に温めた焼釜に均等に並べ少量の水をかけ13分〜15分間蒸し焼き
にする。その後自然乾燥させる。このようにして出来上がった米麩パンは、程好
い米のサクサク感を残している。
【００１６】
米粉3ｋｇ、粉末グルテン2〜2、5ｋｇ、重曹10〜15ｇ、水6〜7ｋｇを攪拌機に入れ
攪拌後、10〜20分間熟成させる。熟成した生地を小分けして練機に入れ3〜5分
間練り、丸めて10〜15分間休ませた後15〜20等分し、5〜10分間水に浸す。
180度〜160度に温めた焼釜に均等に並べ少量の水をかけ13分〜15分間蒸し
焼きにする。その後自然乾燥させる。このようにして出来上がった米麩パンは、
口の中で綿菓子の様に溶けていくので、お粥の代用となる。
【産業上の利用可能性】
【００１７】
一般食としては勿論、老人ホーム、保育園、病院、及びカロリー制限されている
方など幅広く食していただける食品（介護食、離乳食、おやつなど）です。
(57)【要約】【課題】  子孫を後世に伝えていくという本来人間に具わった使命を考慮に入れても、性欲というものは、人間一人が抱えるにはあまりに大きなエネルギーと言わざるをえない。性風俗産業が隆盛を誇っている現状はそれを如実に物語っている。【解決手段】  そうした現状を踏まえた上で、有り余った性欲的生体エネルギー（エロルギー）を有効活用すべく、該当する１８歳以上の成年男子が掛けてくるであろう任意の番号で登録してある携帯電話を設け、そこで受信された電波をリレー付き光センサーで感知し電気を発電するものである。【選択図】なし【特許請求の範囲】
【請求項１】
性欲として蓄積された生体エネルギー（エロルギー）を抱えた、不特定多数の成年男子が掛けてくるであろう任意の番号で登録してある市販の携帯電話を設け、そこで受信された電波をリレー付き光センサーにより感知し、電気を発電させる装置。
【発明の詳細な説明】
【技術分野】
【０００１】  本発明は、環境負荷の少ないかつ枯渇の恐れのないエネルギーの供給に関する。
【背景技術】
【０００２】  本発明に関しては、既存のシステムが存在していないので省略する。
【発明の開示】
【発明が解決しようとする課題】
【０００３】  子孫を後世に伝えていくという本来人間に具わった使命を考慮に入れても、性欲というものは、人間一人が抱えるにはあまりに大きなエネルギーと言わざるをえない。性風俗産業が隆盛を誇っている現状はそれを如実に物語っている。
【課題を解決するための手段】
【０００４】  そうした現状を踏まえた上で本発明は、有り余った性欲的生体エネルギー（エロルギー）を有効活用すべく、該当する１８歳以上の成年男子が掛けてくるであろう任意の番号で登録してある携帯電話を設け、そこで受信された電波をリレー付き光センサーで感知し電気を発電するものである。
【発明の効果】
【０００５】  人類の人類による人類のための有り余った性欲的生体エネルギー（エロルギー）の有効活用であるため、人間が存在する限りは、常に電気を供給できる。【０００６】  有り余った性欲的生体エネルギー（エロルギー）は、性犯罪に繋がるものと考えられるが、体内に蓄積された性欲的生体エネルギー（エロルギー）を電気変換するため性犯罪の抑止効果としても期待できる。
【発明の実施するための最良の形態】
【０００７】  以下、本発明の実施の形態を図１〜図２に基づいて説明する。
【０００８】  図においては、１は有り余った性欲的生体エネルギー（エロルギー）を有した者が掛けてくるであろう任意の電話番号を示したもので、主に夕刊紙などの広告欄に掲載する。
【０００９】  携帯電話３において、有り余った性欲的生体エネルギー（エロルギー）を有した２が掛けてきたであろう電波を受信する。リレー付き光センサー４で受信した電波を感知し電気を発電させる。なお、電球５は電気を発電させたことがわかるように設けたものである。
【図面の簡単な説明】
【００１０】
【図１】  夕刊紙などの広告欄に掲載する任意の電話番号のレイアウト図
【図２】  性欲電気変換装置のシステム見取り図
【図１】
2009017760.tif 000002
【図２】
2009017760.tif 000003
(57)【要約】      （修正有）【課題】フライホイ−ル本来の機能に、電力の貯蔵機能を付加し、幅広い産業分野で利用できるエネルギ−貯蔵手段としてのフライホイ−ルを提供する。【解決手段】フライホイ−ル本体１に、蓄電用デバイス２を具備すると共に電気配線３を用いて接触端子４に接続し、蓄電用デバイス２への供給および受給を接触方式にて実施する蓄電機能付フライホイ−ルとした。【選択図】図１
2009017766.tif 000002
【特許請求の範囲】
【請求項１】
フライホイ−ルであって、蓄電用デバイスを具備し、これに接続された配電手段を具備したことを特徴とする蓄電機能付フライホイ−ル。
【発明の詳細な説明】
【技術分野】
【０００１】  本発明は、蓄電機能付フライホイ−ルに関するものである。
【背景技術】
【０００２】  従来、フライホイ−ルは回転ムラをなくすために用いられ、重い金属性の円盤が主流であった。
【発明の開示】
【発明が解決しようとする課題】
【０００３】  近年、エネルギ−貯蔵手段として、フライホイール本来の機能に、電力の貯蔵機能を付加し、幅広い産業分野で利用できるフライホイ−ルが求められている。
【課題を解決するための手段】
【０００４】  フライホイ−ルであって、蓄電用デバイスを具備し、これに接続された配電手段を具備したことを特徴とする蓄電機能付フライホイ−ルを提供することにより、この課題を解決する。
【発明の効果】
【０００５】  本発明は、フライホイ−ルに重量物質である蓄電用デバイスを具備することによって、フライホイ−ル本来の機能が維持でき、さらに蓄電用デバイスとこれに接続された配電手段を備えたことにより、電力の貯蔵および供給、受給が容易にできる蓄電機能付フライホイ−ルを提供できたものである。【０００６】  フライホイ−ルは、古くから産業用機械に数多く使用されており、本発明の蓄電機能付フライホイ−ルは、回転運動エネルギ−の貯蔵のみならず、電力の貯蔵も可能としたもので、一般産業用機械はもとより、新たなるエネルギー貯蔵の手段として、電気自動車等、移動体のエネルギ−貯蔵手段としても幅広く利用できるものである。
【発明を実施するための最良の形態】
【０００７】  以下、本発明の実施の形態を図面に基づき詳細に説明する。【０００８】  第１図は、本発明の実施例の断面図である。【０００９】  本実施例は、フライホイ−ル本体１に、蓄電用デバイス２具備し、電気配線３を用いて接触端子４に接続した実施例であり、電力の供給および受給を接触端子４を介して、外部と接触方式で実施できる本発明の蓄電機能付フライホイ−ルの実施例である。【００１０】  蓄電用デバイス２としては、蓄電池やキャパシタ−があり、これらを併用することもできる。
【産業上の利用可能性】
【００１１】  本発明の蓄電機能付フライホイ−ルは、一般産業用機械への利用はもとより、新たなエネルギ−貯蔵の手段として幅広く利用できるものである。特に、石油資源の枯渇と地球環境の保全上強く望まれている２輪車、電気自動車、バス、電車等の移動体において、新たなエネルギー貯蔵の手段として利用でき、回転式電池電力貯蔵装置のフライホイールとしても有効なものである。
【図面の簡単な説明】
【００１２】
【図１】  本発明の実施例の断面図である。
【符号の説明】
【００１３】    １    フライホイ−ル本体
２    蓄電用デバイス
３    電気配線
４    接触端子
５    回転軸
【図１】
2009017766.tif 000003
(57)【要約】      （修正有）【課題】フライホイ−ル本来の機能に、電力の貯蔵機能を付加し、幅広い産業分野で利用できるエネルギ−貯蔵手段としてのフライホイ−ルを提供する。【解決手段】フライホイ−ル本体１に、蓄電用デバイス２を具備し、電気配線５を用いて電気回路３に接続し、電気回路３に誘導コイル４を接続することにより、電力の供給および受給を誘導コイル４を介して、電磁誘導方式で外部と非接触で実施できる蓄電機能付フライホイ−ルとした。【選択図】図１
2009017761.tif 000002
【特許請求の範囲】
【請求項１】
フライホイ−ルであって、蓄電用デバイスを具備し、これに接続された電気回路の配電手段を具備したことを特徴とする蓄電機能付フライホイ−ル。
【発明の詳細な説明】
【技術分野】
【０００１】  本発明は、蓄電機能付フライホイ−ルに関するものである。
【背景技術】
【０００２】  従来、フライホイ−ルは回転ムラをなくすために用いられ、重い金属性の円盤が主流であった。
【発明の開示】
【発明が解決しようとする課題】
【０００３】  近年、エネルギ−貯蔵手段として、フライホイ−ル本来の機能に、電力の貯蔵機能を付加し、幅広い産業分野で利用できるフライホイ−ルが求められている。
【課題を解決するための手段】
【０００４】  フライホイ−ルであって、蓄電用デバイスを具備し、これに接続された電気回路の配電手段を具備したことを特徴とする蓄電機能付フライホイ−ルを提供することにより、この課題を解決する。
【発明の効果】
【０００５】  本発明は、フライホイ−ルに重量物質である蓄電用デバイスを具備することによって、フライホイ−ル本来の機能が維持でき、さらに蓄電用デバイスとこれに接続された電気回路の配電手段を備えたことにより、電力の貯蔵および供給、受給が容易にできる蓄電機能付フライホイ−ルを提供できたものである。【０００６】  フライホイ−ルは、古くから産業用機械に数多く使用されており、本発明の蓄電機能付フライホイ−ルは、回転運動エネルギ−の貯蔵のみならず、電力の貯蔵も可能としたもので、一般産業用機械はもとより、新たなるエネルギ−貯蔵の手段として、電気自動車等、移動体のエネルギ−貯蔵手段としても幅広く利用できるものである。
【発明を実施するための最良の形態】
【０００７】  以下、本発明の実施の形態を図面に基づき詳細に説明する。【０００８】  第１図は、本発明の実施例の断面図である。【０００９】  本実施例は、フライホイ−ル本体１に、蓄電用デバイス２具備し、電気配線５を用いて電気回路３に接続し、電気回路３に誘導コイル４を接続した実施例であり、電力の供給および受給を誘導コイル４を介して、電磁誘導方式で外部と非接触で実施できる本発明の蓄電機能付フライホイ−ルの実施例である。【００１０】  電力の供給および受給は、マイクロ波や光を用いて非接触で行なうこともできるし、誘導コイル４の代りに接触端子を用い、接触方式で実施することもできる。【００１１】  蓄電用デバイス２としては、蓄電池やキャパシタ−があり、これらを併用することもできる。【００１２】  蓄電用デバイス２の充放電電圧は、直流電圧であるので、電気回路３はインバ−タ−回路、コンバ−タ−回路、充電回路、整流回路等様々な回路で構成される。
【産業上の利用可能性】
【００１３】  本発明の蓄電可能なフライホイ−ルは、一般産業用機械への利用はもとより、新たなエネルギ−貯蔵の手段として幅広く利用できるものである。特に、石油資源の枯渇と地球環境の保全上強く望まれている電気自動車、路線バス等の移動体において、新たなエネルギ−貯蔵の手段として利用でき、回転式電池電力貯蔵装置のフライホイ−ルとしても有効なものである。
【図面の簡単な説明】
【００１４】
【図１】  本発明の実施例の断面図である。
【符号の説明】
【００１５】    １    フライホイ−ル本体
２    蓄電用デバイス
３    電気回路
４    誘導コイル
５    電気配線
６    回転軸
【図１】
2009017761.tif 000003